(57)【要約】【課題】  デザイン性が優れかつ着用者が快適に着用できるとともに、ウエスト寸法の調整（変更）が容易である、簡単な構造のズボン等のウエスト調整構造を提供する。【解決手段】  ズボン等のウエスト生地と、このウエスト生地の左右両側から背中側にかけての内側略半周にトンネル状に設けられるベルト挿通部と、このベルト挿通部に貫挿されかつ前記ベルト挿通部内に位置する弾性ベルト地及びこの弾性ベルト地の両端側にそれぞれ連設されて前記ベルト挿通部からはみ出るボタン穴付ベルト地からなる調整用ベルトと、各ボタン穴付ベルト地の先端側ボタン穴にそれぞれ係止できるように前記ウエスト生地の内面にウエスト周り方向に間隔を置いてそれぞれ設けられる二個一組のボタンとを備え、かつ前記二個一組のボタンを、ズボン等の左右両側にある脇線をそれぞれ跨る位置に少し間隔を置いてそれぞれ配設した、ズボン等のウエスト調整構造。【選択図】  図２
0003141210.tif 000002
【実用新案登録請求の範囲】
【請求項１】
ズボン等のウエスト生地と、
このウエスト生地の左右両側から背中側にかけての内側略半周にトンネル状に設けられるベルト挿通部と、
このベルト挿通部に貫挿されかつ前記ベルト挿通部内に位置する弾性ベルト地及びこの弾性ベルト地の両端側にそれぞれ連設されて前記ベルト挿通部からはみ出るボタン穴付ベルト地からなる調整用ベルトと、
各ボタン穴付ベルト地の先端側ボタン穴にそれぞれ係止できるように前記ウエスト生地の内面にウエスト周り方向に間隔を置いてそれぞれ設けられる二個一組のボタンとを備え、
かつ前記二個一組のボタンを、ズボン等の左右両側にある脇線をそれぞれ跨る位置に少し間隔を置いてそれぞれ配設したことを特徴とするズボン等のウエスト調整構造。
【考案の詳細な説明】
【技術分野】
【０００１】
本考案は、ズボンやスカート等（以下単に「ズボン等」という）のウエストを着用者のウエスト寸法に合わせて簡単に調整できるズボン等のウエスト調整構造に関するものである。
【背景技術】
【０００２】
この種のズボン等におけるウエスト調整構造は、古くから種々開発され、多数提案されている。
【０００３】
これらの最も一般的なものとしては、例えば特許文献１及び特許文献２に記載のごとく、ズボン等のウエスト部分の全部又は一部にゴム等の伸縮材を入れて伸縮自在として、着用者のウエスト寸法に合わせるものがある。このようにゴム等の伸縮材を使うものは、単にウエスト部の全部又は一部が伸縮するだけであるので、伸縮性に限度があって調整幅が小さいために、着用者のウエスト寸法に適切に合わせたズボン等のウエスト調整（変更）ができない。
【０００４】
そこで、着用者のウエスト寸法に合わせてズボン等のウエスト調整（変更）ができるものとして、例えば特許文献３及び特許文献４に記載のごとく、ズボン等の両脇のポケット部分で前身頃と後身頃を切り離してこれらの端片を重ね合わせ、その一方から突出させた調整ベルトの先端金具を他方に設けたレール状の係止具の任意箇所に係止させ、調整ベルトに設けた調節金具によりベルトの長さを調整するようにしたものが提案されている。このように先端金具や調節金具を使うものは、その係止位置を変えれば着用者のウエスト寸法に合わせてズボン等のウエスト調整（変更）は可能であるが、金属アレルギーの問題があって身体に着けるものとしては好ましくない。
【０００５】
この点を改善するものとして、複数の位置でボタン止めする構造のものが従来から使われている。この構造では、数個のボタンが取り付けられ、これに止める調整ベルトによりボタン止め位置を変えることにより、着用者のウエスト寸法に合わせてズボン等のウエスト調整（変更）ができる。
【０００６】
この構造のものは、このようにボタンの数に応じてウエスト調整（変更）が可能であるが、ボタンによるウエストへの圧迫を避けるために、ボタンがウエスト外面に突出しており、露出したボタンにより見栄えが悪く、デザイン的に良好ではない。従って、ファッション性を追求するズボン等においては利用しにくく、商品としての魅力に欠けるという問題があった。
【特許文献１】実開昭５６−１１１１０８号公報
【特許文献２】実開昭５７−１４７２２５号公報
【特許文献３】実開平２−１７５０５号公報
【特許文献４】実公昭５９−２２０８５号公報
【考案の開示】
【考案が解決しようとする課題】
【０００７】
本考案は、かかる従来技術の現状に鑑み創案されたものであり、その目的は、デザイン性に優れかつ着用者が快適に着用できるとともに、ウエスト寸法の調整（変更）が容易である、簡単な構造のズボン等のウエスト調整構造を提供することにある。
【課題を解決するための手段】
【０００８】
本考案者は、かかる目的を達成するためにウエスト寸法の調整のためのボタンの配置について鋭意検討した結果、ズボン等のウエスト内面の左右両側にある脇線のそれぞれ跨る位置に二個一組のボタンを少し間隔を置いて配設し、ボタン穴付調整用ベルトでボタンとの係止位置を調整することにより、簡単な構造で三段階のウエスト寸法の調整が可能になるとともに、ボタンをウエスト内面に設けた場合であっても着用者が長時間違和感なく着用できることを見出し、本考案の完成に至った。
【０００９】
即ち、本考案は、ズボン等のウエスト生地と、
このウエスト生地の左右両側から背中側にかけての内側略半周にトンネル状に設けられるベルト挿通部と、
このベルト挿通部に貫挿されかつ前記ベルト挿通部内に位置する弾性ベルト地及びこの弾性ベルト地の両端側にそれぞれ連設されて前記ベルト挿通部からはみ出るボタン穴付ベルト地からなる調整用ベルトと、
各ボタン穴付ベルト地の先端側ボタン穴にそれぞれ係止できるように前記ウエスト生地の内面にウエスト周り方向に間隔を置いてそれぞれ設けられる二個一組のボタンとを備え、
かつ前記二個一組のボタンを、ズボン等の左右両側にある脇線をそれぞれ跨る位置に少し間隔を置いてそれぞれ配設したことを特徴とするズボン等のウエスト調整構造である。
【考案の効果】
【００１０】
本考案のウエスト構造は、ウエスト寸法調整用のボタンをウエスト内面に配置したので、ボタン等の調整構造が外部から見えず、見栄えが良くなり、ファッション性が高い。また、ウエスト調整用のボタンをズボン等のウエスト内面の左右両側の脇線の位置に設けたので、長時間着用してもボタンによる着用者への圧迫や着用者の違和感がない。さらに、ボタン四個に対するボタン穴付弾性調整ベルトのはめ替えでウエスト寸法を調整しているので、簡単な構造で容易に三段階でウエスト調整（変更）ができ、しかも各段階において一定幅の伸縮性が得られる。
【考案を実施するための最良の形態】
【００１１】
本考案のズボン等のウエスト調整構造は、ズボン等のウエスト生地と、このウエスト生地の内面に設けたベルト挿通部と、このベルト挿通部に貫挿されると共に弾性ベルト地とこの弾性ベルト地の両端側にそれぞれ連設されるボタン穴付ベルト地とからなる調整用ベルトと、各ボタン穴付ベルト地の先端側ボタン穴にそれぞれ係止できるように前記ウエスト生地の内面に脇線を跨いでウエスト周り方向に少し間隔を置いてそれぞれ設けられる二個一組のボタンとを備えることにより、実現されるものである。
【００１２】
本考案の一実施例を、図１、図２を参照しながら説明する。図１はズボンのウエスト部を示す斜視図、図２は図１の調整用ベルトを示す斜視図である。
【００１３】
図において、１は前開きのズボン、２はズボン１のウエスト生地、３はウエスト生地２の左右両側から背中側にかけての内側略半周にトンネル状に設けたベルト挿通部、４はベルト挿通部３に貫挿される調整用ベルトで、ベルト挿通部３内に位置するゴム等の弾性ベルト地４ａとこの弾性ベルト地４ａの両端側にそれぞれ連設されて前記ベルト挿通部３からはみ出るボタン穴付ベルト地４ｂ，４ｂとからなっている。
【００１４】
５はズボン１の左右両側にある脇線、６はウエスト生地２の内面にあって脇線５を跨ぐ位置でウエスト周り方向に少し間隔を置いて設けた二個一組のボタンで、各ボタン穴付ベルト地４ｂ，４ｂの先端側ボタン穴４ｃ，４ｃにそれぞれ係止できるようにウエスト生地２の内側の左右両側にそれぞれ配設してある。
【００１５】
なお、二個一組のボタン６のボタン６ａ、６ｂの間隔は、調整用ベルト４の弾性ベルト地４ａの伸縮許容範囲に合わせて適宜設定でき、その際弾性ベルト地４ａの弾性力に合わせて大きくでき、勿論この間隔を大きくすればするほどズボン１のウエスト寸法の調整できる範囲が大きくなる。
【００１６】
図１に示す状態、つまり調整用ベルト４の両ボタン穴付ベルト地４ｂ，４ｂがいずれも手前（ウエストの背中側）のボタン６ａ，６ａに係止された状態では、ズボン１のウエスト背後側が最大限に広がるので、ズボン１のウエスト寸法としては最大のものになる。
【００１７】
次に、図示しないが、調整用ベルト４の両ボタン穴付ベルト地４ｂ，４ｂをいずれも前方（ウエストの前側）のボタン６ｂ，６ｂに係止すると、ズボン１のウエスト背中側が調整用ベルト４により絞られるので、ズボン１のウエスト寸法としては最小のものになる。
【００１８】
そして、図示しないが、調整用ベルト４の両ボタン穴付ベルト地４ｂ，４ｂのうち一方を手前のボタン６ａに他方を前方のボタン６ｂに，つまり互い違いにボタン止めすると、ズボン１のウエスト背中側の絞り量が前記最大，最小の中間となるので、ズボン１のウエスト寸法としては中間のものになる。
【００１９】
このようにボタン四個の簡単な構造でかつ両二個一組のボタン６，６をはめ替えるだけで、ズボン１のウエスト寸法を最大，中間，最小の三段階に調整（変更）でき、各段階における調整用ベルト４の弾性ベルト地４ａの伸縮性は一定幅であるので、各ウエスト寸法においても圧迫されない良好な着用感が得られる。
【００２０】
また、図１に示すようにウエスト調整構造は全てウエスト生地２の内面にあって外部に露出しないので、外見的にはウエスト周りがすっきりとして見栄えが良くなり、ファッション性も向上すると共にデザイン性の高い魅力ある商品を提案できるようになる。
【００２１】
さらに、ウエスト生地２の内面に二個一組のボタン６，６をいずれもズボン１の各脇線５，５の位置にそれぞれ設けたので、ズボン１の前方においてこの種のボタンが着用者のお腹を圧迫したりズボン１の後方において着用者の敏感なお尻を刺激するということがなく、二個一組のボタン６，６による違和感のない良好な着用感が得られる。
【００２２】
前述した例では、調整用ベルト４を図２に示すように一本のものとしたがこれを左右両側に独立して存在する二本のものとしても良いし、またボタン６を二個一組のものとしたがこれをさらに増やして三個一組以上のものとしても良い。これらの態様は当然、本考案の技術範囲に属する。
【００２３】
なお、以上の例ではズボン１について説明したが、スカートであっても同様の効果が得られるのは勿論、ズボン１やスカートにおいてはウエスト調整構造の設置位置を変更することにより前開きや後開き等の有無に関係なく同様の効果が得られる。
【産業上の利用可能性】
【００２４】
本考案は、ウエストを着用者のウエスト寸法に合わせて簡単に調整できる、ファッション性の高いズボンやスカート等のウエスト調整構造に広く活用できる。
【図面の簡単な説明】
【００２５】
【図１】本考案の一実施態様を示すズボンウエスト部の斜視図である。
【図２】図１の調整用ベルトを示す斜視図である。
【符号の説明】
【００２６】
１：ズボン
２：ウエスト生地
３：ベルト挿通部
４：調整用ベルト
４ａ：弾性ベルト地
４ｂ；ボタン穴付ベルト地
４ｃ：ボタン穴
５：脇線
６：二個一組のボタン
６ａ：手前のボタン
６ｂ：前方のボタン
【図１】
0003141210.tif 000003
【図２】
0003141210.tif 000004